(57)【要約】【課題】室内機の高さ寸法を大きくせずに、断熱効果を得ることができる天井埋込型空気調和装置の室内機を提供する。【解決手段】下側に開口部２１ａを有する箱形状の筐体２１と、この筐体２１の内部を１次側及び２次側に画成する室内熱交換器２４と、１次側に臨む筐体２１の天板部２１ｂに取り付けられる送風機２３とを備え、筐体２１の２次側に臨む側板部２１ｃに２次側断熱材２２ｂが設けられた天井埋込型空気調和装置の室内機において、筐体２１の１次側に臨む天板部２１ｂに１次側断熱材２２ａを設け、この１次側断熱材２２ａには、その中央に送風機２３を形成するファンモータ２３ａが取り付けられる略三角形状の断差面Ｒと、この断差面Ｒの周りに位置し室内熱交換器２４の上端部が嵌り込む略四角形状の溝部３１と、略三角形状の断差面Ｒの一辺から略四角形状の溝部３１のコーナに向かってファンモータ２３ａの配線５０を通す溝部５１とが設けられている。【選択図】      図３
2011169583.tif 000002
【特許請求の範囲】
【請求項１】
下側に開口部を有する箱形状の筐体と、この筐体の内部を１次側及び２次側に画成する室内熱交換器と、１次側に臨む前記筐体の天板部に取り付けられる送風機とを備え、前記筐体の前記２次側に臨む側板部に２次側断熱材が設けられた天井埋込型空気調和装置の室内機において、
前記筐体の１次側に臨む天板部に１次側断熱材を設け、この１次側断熱材には、その中央に前記送風機を形成するファンモータが取り付けられる略三角形状の断差面と、この略三角形状の断差面の周りに位置し前記室内熱交換器の上端部が嵌り込む略四角形状の溝部と、前記略三角形状の断差面の一辺から前記略四角形状の溝部のコーナに向かって前記ファンモータの配線を通す溝部とが設けられていることを特徴とする天井埋込型空気調和装置の室内機。
【請求項２】
前記１次側断熱材及び前記２次側断熱材を一体に形成したことを特徴とする請求項１に記載の天井埋込型空気調和装置の室内機。
【請求項３】
前記１次側断熱材の前記送風機と向かい合う内面を平坦に形成したことを特徴とする請求項１乃至２に記載の天井埋込型空気調和装置の室内機。
【請求項４】
前記１次側断熱材の内面に前記送風機の配線を通す溝部を形成し、この溝部内の前記配線を固定すると共に前記筐体の天板部に前記１次側断熱材を固定する配線固定金具を設けたことを特徴とする請求項１乃至３のいずれか１つに記載の天井埋込型空気調和装置の室内機。
【発明の詳細な説明】
【技術分野】
【０００１】
本発明は、筐体内部を断熱した天井埋込型空気調和装置の室内機に関する。
【背景技術】
【０００２】
従来、天井埋込型空気調和機の室内機は、下側に開口部を有する箱形形状の筐体を備え、この筐体の内部は、室内熱交換器によって１次側空間と２次側空間とに画成されている。１次側空間は、筐体の天板部、及び室内熱交換器によって仕切られており、空調前の空気が室内から取り込まれるようになっている。また、２次側空間は、筐体の側板部、天板部、及び室内熱交換器によって仕切られており、空調後の空気が１次側空間から２次側空間に送られるようになっている。この筐体の２次側空間に臨む側板部及び天板部には、空調後の空気によって結露が発生するのを防止すべく、２次側断熱材がその全面を覆う態様で設けられている（例えば、特許文献１参照）。
【０００３】
一方、１次側空間では、２次側空間と比較して結露のおそれは少ないが、天井裏の空気が高湿度である場合には結露が生じるおそれがある。そのため、筐体の外側から、天井外側面に断熱材を貼り付けることがある。
【特許文献１】特開２００４−８４９９９号公報
【発明の開示】
【発明が解決しようとする課題】
【０００４】
しかしながら、筐体の外側から断熱材を貼り付けた場合、室内機の高さ寸法が断熱材の分だけ大きくなってしまう。
【０００５】
そこで、本発明の目的は、室内機の高さ寸法を大きくせずに、断熱効果を得ることができる天井埋込型空気調和装置の室内機を提供することにある。
【課題を解決するための手段】
【０００６】
上述した課題を解決するため、本発明は、下側に開口部を有する箱形状の筐体と、この筐体の内部を１次側及び２次側に画成する室内熱交換器と、１次側に臨む前記筐体の天板部に取り付けられる送風機とを備え、前記筐体の前記２次側に臨む側板部に２次側断熱材が設けられた天井埋込型空気調和装置の室内機において、筐体の１次側に臨む天板部に１次側断熱材を設け、この１次側断熱材には、その中央に送風機を形成するファンモータが取り付けられる略三角形状の断差面と、この略三角形状の断差面の周りに位置し室内熱交換器の上端部が嵌り込む略四角形状の溝部と、略三角形状の断差面の一辺から略四角形状の溝部のコーナに向かってファンモータの配線を通す溝部とが設けられていることを特徴とする。
【０００７】
この構成によれば、筐体の１次側に臨む天板部に、送風機の取付部を避ける態様で２次側断熱材を設けることができる。
【０００８】
また、前記１次側断熱材及び前記２次側断熱材を一体に形成してもよい。
【０００９】
この構成によれば、断熱材を一体にすることで、部品点数を削減することができる。また、取付工数を削減することができる。
【００１０】
さらに、前記１次側断熱材の前記送風機と向かい合う内面を平坦に形成することもできる。
【００１１】
この構成によれば、送風機によって送られる風の流れを乱すことなく、かつ送風を整流することができる。
また、前記１次側断熱材の内面に前記送風機の配線を通す溝部を形成し、この溝部内の前記配線を固定すると共に前記筐体の天板部に前記１次側断熱材を固定する配線固定金具を設けることもできる。この構成によれば、配線を確実に固定することができるとともに、断熱材を天板部に確実に固定することができる。
【発明の効果】
【００１２】
本発明は、前記筐体の１次側に臨む天板部に１次側断熱材を設け、この１次側断熱材には、その中央に送風機を形成するファンモータが取り付けられる略三角形状の断差面と、この略三角形状の断差面の周りに位置し室内熱交換器の上端部が嵌り込む略四角形状の溝部と、略三角形状の断差面の一辺から略四角形状の溝部のコーナに向かってファンモータの配線を通す溝部とが設けられているので、送風機の取付部を避けて天板部に２次側断熱材を取り付けることができ、１次側断熱材を設けた分だけ送風機の取付位置をずらす必要がないため、筐体の高さ寸法を大きくする必要がない。そのため、天板部の外側に断熱材を設ける場合と比べて、室内機全体の高さを大きくすることなく、断熱効果を得ることができる。
【００１３】
また、前記１次側断熱材及び前記２次側断熱材を一体に形成しているので、別体の断熱材をそれぞれ取り付ける場合と比べて、取付時間を短縮することができるとともに、取付作業を容易に行うことができる。また、部品点数を削減することができるので、組立工数も削減することができる。
【００１４】
さらに、前記１次側断熱材の前記送風機と向かい合う内面を平坦に形成しているので、送風機によって送られる風が１次側断熱材の内面に当たることによって乱流が生じない。さらには、送風機から送られる風を整流することができるので、風音を低減させて、防音効果を得ることができる。
【００１５】
さらにまた、前記１次側断熱材の内面に前記送風機の配線を通す溝部を形成し、この溝部内の前記配線を固定すると共に前記筐体の天板部に前記１次側断熱材を固定する配線固定金具を設けているので、送風機の配線を確実に固定することができる。また、断熱材を天板部に確実に固定することができるので、断熱材と天板部との間に無駄な隙間が生じることがない。
【発明を実施するための最良の形態】
【００１６】
以下、本発明の実施の形態を図面に基づいて説明する。図１は天井埋込型の空気調和機の室内機１０を下面側から示す斜視図、図２は室内機本体２０の縦断面図である。なお、本実施の形態では、室内機１０の一例として、４方向カセット型であって外形状が６００ｍｍ×６００ｍｍのミニカセット型の室内機について説明するが、これに限定されず、２方向型の室内機、又は一般的な外形を有する４方向型の室内機であっても適用することができる。
【００１７】
空気調和機の室内機１０は、図１に示すように、室内側から天井板に設けられた取付け用開口部に挿入される室内機本体２０と、この室内機本体２０に下側から取り付けられる化粧パネル１００とを備えている。
【００１８】
室内機本体２０は、その外形部分を構成する筐体２１を備えている。この筐体２１は、箱形状に形成されており、その下側の全面が開口する下側開口部２１ａと、天板部２１ｂと、側板部２１ｃとで構成されている。この天板部２１ｂ及び側板部２１ｃは、板金加工によって組み立てられている。また、下側開口部２１ａは、上述した化粧パネル１００によって閉塞されている。
【００１９】
筐体２１の側板部２１ｃの外面であって４つの角部には、図１に示すように、室内機本体２０を吊り下げるための吊り金具２８がそれぞれ設けられている。この吊り金具２８は、天井から垂下する吊りボルト（図示せず）に取り付けられ、室内機本体２０が天井から吊り下げられる態様で取り付けられている。また、天井面に格子状に設けられた保持バーに室内機本体２０を固定することもできる。
【００２０】
化粧パネル１００は、その中央部に室内空気を取り込むための吸込口１１０と、この吸込口１１０の周囲に化粧パネル１００の辺に沿って長尺に形成され、熱交換後の空気を吹き出すための４つの吹出口１２０と、化粧パネル１００の４つの角部を構成するコーナーパネル１３０とを備えている。また、この吹出口１２０には、吹出空気の方向を調節可能なフラップ１２２が設けられている。コーナーパネル１３０は、化粧パネル１００の下側に向けて取り外し可能に構成されており、このコーナーパネル１３０を外したときに、上述した吊り金具２８と吊りボルトの係合位置まで取付作業者の手が入るような大きさを有している。
【００２１】
この筐体２１の天板部２１ｂおよび側板部２１ｃの全面に亘る内面には、たとえば発泡スチロール材からなる断熱材２２（詳細は後述する）が組み込まれており、室内機本体２０が筐体内部と外部との間で熱の移動が少なくなるような断熱構造をなしている。
【００２２】
筐体２１の内部には、平面視において略四角枠状に形成された室内熱交換器２４が収容されている。この室内熱交換器２４は、図２に示すように、その上端部が断熱材２２と隙間が生じないように取り付けられている。また、室内熱交換器２４の下端部は、熱交換作用にともなって生成されるドレン水を受けるためのドレンパン２５と隙間が生じないように取り付けられている。これにより、室内熱交換器２４は、筐体２１の内部を、１次側空間Ｓ１（平面視において、筐体２１の中央部）と２次側空間Ｓ２（平面視において、筐体２１の側板部の周辺部）とに画成している。
【００２３】
この１次側空間Ｓ１は、筐体２１の天板部２１ｂ及び室内熱交換器２４によって仕切られており、この空間に送風機２３が設けられている。この送風機２３は、筐体２１の天板部２１ｂに適宜な手段で取付け固定されるファンモータ２３ａと、このファンモータの回転軸に取り付けられるファン２３ｂとで構成されている。これにより、ファン２３ｂの回転に伴い吸込口１１０を介して回転軸方向（図２のＴ１方向）から空気を吸込んで周方向（室内熱交換器２４に向かう方向。図２のＴ２方向）に吹き出すようになっている。
【００２４】
また、化粧パネル１００の吸込口１１０と送風機２３との間には、送風機２３に向かってテーパー状に形成されたベルマウス２６が設けられている。このベルマウス２６の外周面側一部に、電気部品箱２７が設けられている。この電気部品箱２７内には上記送風機２３などの電気部品を制御するための制御回路が収容されている。
【００２５】
一方、２次側空間Ｓ２は、筐体２１の側板部２１ｃ、天板部２１ｂ、及び室内熱交換器２４によって仕切られており、この空間内に、１次側空間Ｓ１から送風された空気が室内熱交換器２４によって熱交換された後に、送られるようになっている。
【００２６】
図３は、筐体２１の内部に、断熱材２２と、送風機２３のファンモータ２３ａと、ドレンパン２５内のドレン水を汲み上げるドレンポンプユニット２９とを取り付けた状態を示す下面図である。また、図４は、図３を斜め上側から見た斜視図、図５は、図３の側部断面図である。さらに、図６は、断熱材２２を単体で斜め上側から見た斜視図である。なお、図３〜図６は、室内機本体２０の天地を逆にした状態（下側開口部２１ａが上を向いた状態）を示しており、この状態で室内機本体２０が組み立てられる。
【００２７】
断熱材２２は、図２及び図６に示すように、１次側空間Ｓ１に臨む態様で取り付けられる１次側断熱材２２ａと、２次側空間に臨む態様で取り付けられる２次側断熱材２２ｂとで構成されている。これらの１次側断熱材２２ａと２次側断熱材２２ｂとは、発泡スチロール材によって一体成形されている。この１次側断熱材２２ａは、天板部２１ｂ上方にある天井裏の空気と１次側に取り込まれた室内空気とを断熱する役割を果たしている。また２次側断熱材２２ｂは、天井裏の空気と、室内熱交換器２４によって熱交換された空気とを断熱する役割を果たしている。
【００２８】
１次側断熱材２２ａの内側面Ｑには、図３〜図６に示すように、ファンモータ２３ａの周囲を囲むように溝部３１が形成されている。この溝部３１の底面には、室内熱交換器２４の上端部が嵌り込むように組み立てられ、室内熱交換器２４の上端部と溝部３１とが隙間なく接することになる。
【００２９】
また、１次側断熱材２２ａの内側面Ｑには、図６に示すように、ファンモータ２３ａが取り付けられる段差面Ｒが形成されている。この段差面Ｒは、他の内側面Ｑと比べて１段低くなっており、ファンモータ２３ａの取付位置を従来と同じ高さ位置に確保するために設けられたものである。この段差面Ｒには、図６に示すように、ファンモータ２３ａの取付部４０の位置に合わせて３つの開口部３２が形成されている。この開口部３２は内側面Ｑから裏側面まで貫通している。
【００３０】
段差部Ｒに配置されるファンモータ２３ａは、図７に示すように、３つの取付部４０を備えており、この取付部４０には、それぞれに防振ゴム４１が取り付けられている。より詳細には、この防振ゴム４１は、略円柱形状をなしており、図８に示すように、高さ方向の中央部にくびれ部４２が形成されている。このくびれ部４２は、図７に示すように、取付部４０に形成された切り欠き部４３に取付部４０の肉厚を挟むようにして取り付けられる。また、防振ゴム４１は、くびれ部４２を挟んで上側部４２ａと下側部４２ｂの径が異なるように形成されている。
【００３１】
この下側部４２ｂの直径は、１次側断熱材２２ａの開口部３２の直径とほぼ等しく形成されており、この下側部４２ｂが開口部３２に隙間なく嵌り込むようになっている。そして、ファンモータ３２ａと天板部２１ｂとをボルト４４で締結することにより、ファンモータ２３ａが天板部２１ｂに固定されるようになっている。なお、防振ゴム４１は、ファンモータ２３ａが回転する際の振動を吸収するために取り付けられている。
【００３２】
さらに、１次側断熱材２２ａの内側面Ｑには、図６に示すように、ファンモータ２３ａから延びる配線５０を収納するための溝部５１が形成されている。この配線５０は、上述した電気部品箱２７に接続され、ファンモータ２３ａに電力を供給できるようになっている。また、この溝部５１には、配線５０を収納させた後に、この溝部５１を塞ぐ態様で配線固定金具５２が取り付けられる。この配線固定金具５２は、図３に示すように、ねじ５３等によって、天板部２１ｂに取り付けられている。また、この配線固定金具５２は、天板部２１ｂに取り付けられることにより、１次側断熱材２２ａと天板部２１ｂとの間に隙間ができないように、１次側断熱材２２ａを天板部２１ｂに向けて押さえつける機能も果たしている。
【００３３】
また、１次側断熱材２２ａの内側面Ｑは、段差のない平坦な面で形成されている。そして、上述した配線固定金具５２を取り付けた状態では、配線固定金具５２の表面と、この内側面Ｑとが段差なくほぼ面一になるように構成されている。
【００３４】
すなわち、この内側面Ｑは、送風機２３と向かい合う位置にあり、送風機２３から送られる風がこの内側面Ｑに当たることになる。そのため、風が内側面の段差或いは凹凸に当たることによって風に乱流が生じないようにしている。さらには、この内側面Ｑに風が当たることにより、この平坦な面で積極的に風を整流する機能を果たしている。
【００３５】
本発明の実施の形態に係る天井埋込型空気調和装置の室内機１０によれば、筐体２１の１次側空間Ｓ１に臨む天板部２１ｂに１次側断熱材２２ａを設けているので、天井裏の空気と、１次側空間Ｓ１に吸い込んだ室内空気とを断熱することができる。これにより、筐体２１に結露が生じることを防止することができる。
【００３６】
また、１次側断熱材２２ａに送風機２３を天板部２１ｂに固定するための開口部３２を形成しているので、送風機２３の取付部４０に取り付けられる防振ゴム４１を避けて天板部２１ｂに２次側断熱材２２ｂを取り付けることができ、１次側断熱材２２ａを設けた分だけ送風機２３の取付位置を高さ方向にずらす必要がないため、筐体２１の高さ寸法を大きくする必要がない。そのため、天板部２１ｂの外側に断熱材を設ける場合と比べて、室内機本体２０の高さを大きくすることなく、断熱効果を得ることができる。
【００３７】
また、１次側断熱材２２ａ及び２次側断熱材２２ｂを一体に形成しているので、別体の１次側断熱材２２ａ及び２次側断熱材２２ｂをそれぞれ別個に取り付ける場合と比べて、取付時間を短縮することができる。また、取付作業を容易に行うことができる。さらに、部品点数を削減することができるので、組立工数も削減することができる。
【００３８】
さらに、１次側断熱材２２ａの送風機２３と向かい合う内側面Ｑを平坦に形成しているので、送風機２３によって送られる風が１次側断熱材２２ａの内側面Ｑに当たることによって乱流が生じない。さらには、送風機２３から送られる風を整流することができるので、風音を低減させて、防音効果を得ることができる。
【００３９】
また、１次側断熱材２２ａの内面に送風機２３の配線５０を通す溝部５１を形成し、この溝部５１内の配線５０を固定すると共に筐体２１の天板部２１ｂに１次側断熱材２２ａを固定する配線固定金具５２を設けたことにより、送風機２３の配線５０を確実に固定することができる。また、１次側断熱材２２ａを天板部２１ｂに確実に固定することができるので、１次側断熱材２２ａと天板部２１ｂとの間に無駄な隙間が生じることがない。
【００４０】
以上、本発明を実施するための最良の形態について述べたが、本発明は既述の実施形態に限定されるものではなく、本発明の技術思想に基づいて各種の変形および変更が可能である。
【００４１】
本実施の形態における室内機１０では、断熱材２２を１次側断熱材２２ａと２次側断熱材２２ｂとで一体に形成しているが、別体に形成することもできる。すなわち、室内機１０の大きさ（例えば、外形を６００×６００の寸法に小型化したミニカセット型など）によって、断熱材２２の大きさが異なってくるが、断熱材の成型金型の大きさ、金型費用等を考慮して、適宜一体成型によるか分割成型によるかを選択することが可能である。
【図面の簡単な説明】
【００４２】
【図１】本発明の実施の形態に係る天井埋込型空気調和装置の室内機を斜め下側から見た概要図である。
【図２】図１に示す室内機の側部断面図である。
【図３】筐体内に断熱材及びファンモータを取り付けた状態を示す平面図である。
【図４】図３を斜め上側から見た斜視図である。
【図５】図３の側部断面図である。
【図６】断熱材を単体で斜め上側から見た斜視図である。
【図７】ファンモータを単体で示す斜視図である。
【図８】ファンモータの足部に取り付けられる防振ゴムの側面図である。
【符号の説明】
【００４３】
１０  室内機
２０  室内機本体
２１  筐体
２１ａ  下側開口部
２１ｂ  天板部
２１ｃ  側板部
２２  断熱材
２２ａ  １次側断熱材
２２ｂ  ２次側断熱材
２３  送風機
２３ａ  ファンモータ
２３ｂ  ファン
２４  室内熱交換器
２５  ドレンパン
２６  ベルマウス
２７  電気部品箱
２８  吊り金具
３１  溝部
３２  開口部
３２ａ  ファンモータ
４０  取付部
４１  防振ゴム
４２  くびれ部
４２ａ  上側部
４２ｂ  下側部
４３  切り欠き部
４４  ボルト
５０  配線
５１  溝部
５２  配線固定金具
１００  化粧パネル
１１０  吸込口
１２０  吹出口
１２２  フラップ
１３０  コーナーパネル
Ｓ１  １次側空間
Ｓ２  ２次側空間
Ｒ  段差面
Ｑ  内側面
【図１】
2011169583.tif 000003
【図２】
2011169583.tif 000004
【図３】
2011169583.tif 000005
【図４】
2011169583.tif 000006
【図５】
2011169583.tif 000007
【図６】
2011169583.tif 000008
【図７】
2011169583.tif 000009
【図８】
2011169583.tif 000010